(57)【特許請求の範囲】
【請求項１】
液状廃棄物の廃棄に用いる耐水廃棄ボックスであって、
上面が開口されたボックス本体と該ボックス本体の上面開口を閉じ得る蓋部とから構成され、
上記ボックス本体は表裏両面に耐水性フィルム層が形成された板紙からなり、板紙の切断外縁の少なくとも一部がボックス本体内に臨んでおり、
上記ボックス本体内面の耐水性フィルム層にはミシン目が入れられ、切欠きが形成され、あるいは耐水性フィルム層がドット状に形成されることによって、上記ボックス本体の板紙への液状廃棄物の吸収速度が調節されており、
上記ボックス本体には液状廃棄物が投入されて上記ボックス本体の上面開口が閉じられ、上記ボックス本体の板紙には板紙の切断端縁から液状廃棄物が上記調節された吸収速度でもって緩速吸収されるようになっていることを特徴とする耐水廃棄ボックス。
【請求項２】
耐水廃棄ボックスを用いて液状廃棄物を廃棄する方法であって、
耐水廃棄ボックスは上面が開口されたボックス本体と該ボックス本体の上面開口を封鎖し得る蓋部とから構成され、上記ボックス本体は表裏両面に耐水性フィルム層が形成された板紙からなり、板紙の切断外縁の少なくとも一部がボックス本体内に臨んでいるとともに、上記ボックス本体内面の耐水性フィルム層にはミシン目が入れられ、切欠きが形成され、あるいは耐水性フィルム層がドット状に形成されることによって、上記ボックス本体の板紙への液状廃棄物の吸収速度が調節されており、
液状廃棄物を上記ボックス本体に投入し、上記ボックス本体の上面開口を閉じ、液状廃棄物を板紙の切断端縁から上記ボックス本体の板紙に上記調節された吸収速度でもって緩速吸収させ、液状廃棄物を耐水廃棄ボックスとともに医療用廃棄容器に入れて封鎖して廃棄するようにしたことを特徴とする液状廃棄物の廃棄方法。
【請求項３】
上記ボックス本体には検尿後の尿が採尿コップとともに投入される請求項２記載の液状廃棄物の廃棄方法。
【発明の詳細な説明】
【技術分野】
【０００１】
この発明は耐水廃棄ボックス及び液状廃棄物の廃棄方法に関し、特に液状廃棄物を簡単かつ安全に廃棄できるようにした廃棄ボックス及び廃棄方法に関する。
【背景技術】
【０００２】
尿は血液やリンパ液などとともに体液の一部を構成し、人間の健康状態と密接に関連し、尿の成分や量を分析することによって健康状態や病状を検査することができる。例えば、便器にセットした装置の手持ち式のセンサーで落下する尿を受けて尿の成分と反応させ、尿の成分を分析した後、センサーを洗浄して保管するようにした尿検査装置が知られているが（特許文献１）、排尿を採尿コップで受け、検査機器にセットして尿の成分を検査するようにした尿検査装置が依然として多く利用されている（特許文献２）。
【先行技術文献】
【特許文献】
【０００３】
【特許文献１】特開２００１−５０９５７号公報
【特許文献２】特開平０５−１８９６５号公報
【発明の開示】
【発明が解決しようとする課題】
【０００４】
ところで、尿は検査後にはトイレや汚物流しに廃棄し、採尿コップは医療用廃棄容器に入れて密封し、専門業者にによって廃棄処理することが行われているが、感染症患者から採尿した尿については血液などと同様に感染性廃棄物として廃棄容器に入れて処理する必要があり、廃棄が煩わしかった。
【０００５】
本発明はかかる点に鑑み、液状廃棄物を簡単かつ安全に廃棄できるようにした耐水廃棄ボックス及び液状廃棄物の廃棄方法を提供することを課題とする。
【課題を解決するための手段】
【０００６】
そこで、本発明に係る耐水廃棄ボックスは、上面が開口されたボックス本体と該ボックス本体の上面開口を閉じ得る蓋部とから構成され、上記ボックス本体は表裏両面に耐水性フィルム層が形成された板紙からなり、板紙の切断外縁の少なくとも一部がボックス本体内に臨み、上記ボックス本体には液状廃棄物が投入されて上記ボックス本体の上面開口が閉じられ、上記ボックス本体の板紙には板紙の切断端縁から液状廃棄物が緩速吸収されるようになっていることを特徴とする。
【０００７】
また、本発明に係る液状廃棄物の廃棄方法は、耐水廃棄ボックスを用いて液状廃棄物を廃棄する方法であって、耐水廃棄ボックスは上面が開口されたボックス本体と該ボックス本体の上面開口を封鎖し得る蓋部とから構成され、上記ボックス本体は表裏両面に耐水性フィルム層が形成された板紙からなり、板紙の切断外縁の少なくとも一部がボックス本体内に臨んでおり、液状廃棄物を上記ボックス本体に投入し、上記ボックス本体の上面開口を閉じ、液状廃棄物を板紙の切断端縁から上記ボックス本体の板紙に緩速吸収させ、液状廃棄物を耐水廃棄ボックスとともに医療用廃棄容器に入れて封鎖して廃棄するようにしたことを特徴とする。
【０００８】
本発明の特徴は表裏面に耐水性フィルム層を形成した板紙からボックス本体の素形材を打ち抜き、構成部分の一部を重畳させてボックス本体を組み立て重畳部分を接着し、ボックス本体内に液状廃棄物を投入し、板紙の切断端縁から板紙に緩速吸収させるようにした点にある。
【０００９】
これにより、液状廃棄物が廃棄ボックスから漏れ出ることが少ないので、液状廃棄物を耐水廃棄ボックスに投入して上面開口を閉じて医療用廃棄容器に入れればよく、廃棄作業が非常に簡単で、しかも液状の感染性廃棄物であっても安全かつ確実に廃棄できる。
【００１０】
また、耐水廃棄ボックスは一度使用すると、板紙には液状廃棄物が吸収され、既に使用されていることが分かり、誤って再使用するおそれがなく、これによっても安全性を保証できる。
【００１１】
さらに、液状廃棄物をボックス本体の板紙に緩速吸収させるようにしているので、ある程度の時間はボックス本体の立体形状を維持し、医療用廃棄容器への投入を円滑かつ完全に行うことができる。
【００１２】
液状廃棄物には尿、血液、リンパ液などの体液が含まれる。尿の場合には採尿コップとともに耐水廃棄ボックスに投入するようにすれば採尿コップの廃棄も同時に行うことができる。さらに、血液やリンパ液などの場合には血液やリンパ液が付着した脱脂綿やガーゼなどととともに耐水廃棄ボックスに投入すれば汚染された脱脂綿やガーゼなどの廃棄も同時に行うことができる。
【００１３】
液状廃棄物の吸収速度を調節する必要がある場合、ボックス本体の内面の耐水性フィルム層にミシン目を入れ、切欠きを形成し、耐水性フィルム層をドット状に形成するなどの手法によって吸収速度を調整することができる。
【図面の簡単な説明】
【００１４】
【図１】本発明に係る液状廃棄物の廃棄方法の好ましい実施形態を模式的に示す図である。
【図２】本発明に係る耐水廃棄ボックスの好ましい実施形態を示す図である。
【図３】上記耐水廃棄ボックスの素形材を示す図である。
【発明を実施するための形態】
【００１５】
以下、本発明を図面に示す具体例に基づいて詳細に説明する。図１は本発明に係る液状廃棄物の廃棄方法の好ましい実施形態を示し、図２及び図３は本発明に係る耐水廃棄物の好ましい実施形態を示す。図２及び図３において、耐水廃棄ボックス１０はボックス本体１１及びボックス本体１１の上面開口１１Ａを閉じ得る蓋部１２から構成され、ボックス本体１１は両側面のマチ１１Ｂ及び底面１１Ｃからなり、蓋部１２には折り曲げ部１２Ａの上端縁に係止片１２Ｂが形成されている一方、ボックス本体１１の前面壁には係止片１２Ｂが差し込み係止される係止穴１１Ｄが形成されている。
【００１６】
また、ボックス本体１１の前面壁には円形の覗き穴１１Ｅが形成され、背面壁には上下方向に伸びる覗き窓１１Ｆが形成され、覗き窓１１Ｆにはボックス本体１１の内面側から透明フィルムが貼り付けられている。
【００１７】
この耐水廃棄ボックス１０は表裏面に耐水性のポリプロピレンフィルム層が形成されたコートボール（型紙）から、ボックス本体１１、接着片１１Ｇ及び蓋部１２の素形材（図３）を打ち抜き、同時にマチ１１の両縁に罫線２０を入れるとともに、ボックス本体１１の矩形周縁及びマチ１１Ｂの中央に折り曲げ線２１を入れ、さらに底面１１Ｃにミシン目２２を入れ、打ち抜いたボックス本体１１を組み立てるとともに、接着片１１Ｇをボックス本体１１の内面に重畳して接着し、又ボックス本体１１の底面１１Ｃを重畳して接着することによって製作されており、これによってボックス体１１の切断外縁の一部がボックス本体１１内に臨むようになっている。なお、ミシン目２２は上記と異なる位置に入れることもできる。
【００１８】
例えば、採尿コップ３０に尿３１を採尿し検尿した後これらを廃棄する場合、図１の（ａ）に示すように、廃棄すべき尿３１を採尿コップ３０とともに耐水廃棄ボックス１０内に投入し、蓋部１２を折り曲げて係止片１２Ｂをボックス本体１１の係止穴１１Ｄに差し込んで係止し、尿３１及び採尿コップ３０を入れた耐水廃棄ボックス１０を医療用廃棄容器４０に投入して蓋４１で封鎖する。
【００１９】
すると、図１の（ｂ）に矢印で示されるように、採尿コップ３０からこぼれた尿３１が接着片１１Ｇの切断端縁やミシン目２２からコートボール内にゆっくりと吸収される。ある程度の時間が経過すると、耐水廃棄ボックス１０のボックス本体１１のコートボールは吸収した尿３１によって膨潤し始めるが、緩速吸収された尿３１はコートボールから耐水廃棄ボックス１０内に戻ることはない。
【００２０】
以上のように、尿３１を採尿コップ３０とともに耐水廃棄ボックス１０に入れて上面開口１１Ａを閉じて医療用廃棄容器４０に入れ、蓋４１を密閉すればよく、廃棄作業が非常に簡単で、しかも液状の感染性廃棄物であっても安全かつ確実に廃棄できる。
【００２１】
また、耐水廃棄ボックス１０は一度使用すると、尿３１によって膨潤し、既に使用されていることが分かるので、誤って再使用するおそれがなく、これによっても安全性を保証できる。
【００２２】
さらに、尿３１をボックス本体１１のコートボールに緩速吸収させるようにしているので、ある程度の時間はボックス本体１１の立体形状を維持し、医療用廃棄容器４０への投入を円滑かつ完全に行うことができる。
【００２３】
上記では採尿コップ３０に入れられた尿３１を廃棄する場合について説明したが、脱脂綿やガーゼなどに付着した血液やリンパ液を廃棄する場合にも同様に適用できる。
【符号の説明】
【００２４】
１０      耐水廃棄ボックス
１１      ボックス本体
１１Ａ      上面開口
１１Ｃ      底面（重畳部分）
１１Ｇ      接着片（重畳部分）
１２      蓋
１２Ｂ      係止片
３０      採尿コップ
３１      尿
４０      医療用廃棄容器
【図１】
0006619223.tif 000002
【図２】
0006619223.tif 000003
【図３】
0006619223.tif 000004